(57)【要約】【課題】  電磁遮蔽板をＰＩＵと分け、サブラック内でのノイズの共振点をずらしたり、隣接するＰＩＵ間の電磁障害を最適に軽減するように電磁遮蔽板の形状を変える。【解決手段】  前面が開口し、背面に複数の第一のコネクタ１２と上下の内壁面に複数の案内レール１１とが並設されているサブラック１と、ＰＩＵ２と遮蔽板３とのそれぞれが滑動する溝を有する案内レール１１と、電子デバイスが搭載されたプリント板２１からなり、後端部に第二のコネクタ２２と前端部に前面板とが設けられているＰＩＵ（プラグインユニット）２と、電磁波を遮蔽する板状の部材からなる電磁遮蔽板３とを有し、該ＰＩＵ２は、該サブラック１の開口から案内レール１１に沿って挿入されて該第一と第二のコネクタ１２、２２同士が嵌合するものであり、電磁遮蔽板３は、サブラック１の開口から案内レール１１に沿って挿入されて隣接する該ＰＩＵ２を電磁遮蔽するものであるように構成する。【選択図】      図１
2005167053.tif 000002
【特許請求の範囲】
【請求項１】
サブラックと、プラグインユニット（ＰＩＵ）と、電磁遮蔽板とを有し、
該サブラックは、前面が開口し、背面に複数の第一のコネクタと上下の内壁面に複数の案内レールとが並設されているものであり、
該案内レールは、該ＰＩＵと該遮蔽板とのそれぞれが滑動する溝を有し、
該ＰＩＵは、電子デバイスが搭載されたプリント板からなり、後端部に第二のコネクタと前端部に前面板とが設けられているものであり、
該電磁遮蔽板は、電磁波を遮蔽する板状の部材からなり、
該ＰＩＵは、該サブラックの開口から該案内レールに沿って挿入されて該第一と第二のコネクタ同士が嵌合するものであり、
該電磁遮蔽板は、該サブラックの開口から該案内レールに沿って挿入されて隣接する該ＰＩＵを電磁遮蔽するものである
ことを特徴とするＰＩＵの電磁遮蔽板構造。
【請求項２】
該電磁遮蔽板は、該サブラック内の空間領域の共振点を制御可能に、または隣接する該ＰＩＵの電磁波漏洩を遮断可能に遮蔽領域が可変である
ことを特徴とする請求項１記載のＰＩＵの電磁遮蔽板構造。
【請求項３】
該電磁遮蔽板は、少なくとも２枚が遮蔽領域が可変可能に摺動して固定される
ことを特徴とする請求項２記載のＰＩＵの電磁遮蔽板構造。
【請求項４】
該電磁遮蔽板は、遮蔽領域が可変可能に穿孔、切欠き、または表面に凹凸を有する形状をなしている
ことを特徴とする請求項２記載のＰＩＵの電磁遮蔽板構造。
【請求項５】
該電磁遮蔽板は、少なくとも一方の面に隣接するＰＩＵから放射する電磁波を減衰可能に電磁波吸収部材が貼付されるいる
ことを特徴とする請求項１記載のＰＩＵの電磁遮蔽板構造。
【発明の詳細な説明】
【技術分野】
【０００１】
本発明は、情報通信装置などのプラグインユニットを挿抜可能に収納するサブラック内において、プラグインユニットから放射される電磁波のユニット相互間のＥＭＩ対応の電磁遮蔽板の構造に関する。
【背景技術】
【０００２】
近年、情報や通信処理を司る電子機器は、システムの高機能化、高速化、小形化に伴って、機器を構成する部品の高集積化が進んでいる。一方では、高信頼性、安全性といった人的な被害に関わる製品規制が厳しくなっている。
【０００３】
電磁波規制もその一つで、ＥＭＩと称して自身が発する電磁波を介して他の電子機器などへ影響を与えることを規制している。また、他の電子機器に対して電磁妨害したり、他の電子機器から電磁妨害されたりしないＥＭＣが、産業用の電子機器から家庭で用いられる民生用電子機器に至るまで、各所で数値的な規制が設けられるようになっている。
【０００４】
電子機器の電磁波に関わる障害のうち、機器の内部から外部へ電磁波を放射したり、あるいは外部から内部へ侵入する電磁波の影響を阻止する方法には、電子機器自体を完全に電磁的に遮蔽してしまう方法がある。その典型的な例はシールドルームの構成である（例えば、特許文献１参照。）。
【０００５】
また、電子機器がサブラックに並べて収納されたプラグインユニット（以下、ＰＩＵと略称）から構成されている場合には、ＰＩＵ同士間の電磁妨害を防ぐために、単体のユニットそれぞれを完全に電磁的に遮蔽する方法である。
【０００６】
元来、ＰＩＵの下位の一概念は、色々な電子デバイスが搭載されたプリント板の端面に接続端子が並設されており、カードエッジと呼ばれるコネクタに挿脱できる構成であった。そのあと、プリント板にもコネクタが実装され、対極側のコネクタとコネクタ同士で挿脱するものに発展している。
【０００７】
図１３は従来のＰＩＵの電磁遮蔽の一例である。図１３（Ａ）と図１３（Ｂ）とにおいて、ＰＩＵ２は、いろいろな電子デバイス類が搭載されたプリント板２１と、そのプリント板２１を収納する二つの金属部材２４、２５からなる。そして、ＰＩＵ２は、プリント板２１が二つの金属部材２４、２５に挟持され封入されて一体構成となっている。
【０００８】
つまり、ＰＩＵ２が、プリント板２１だけでなく、電磁遮蔽のための金属部材２４、２５も一体となってＰＩＵを構成している。敢えて言えば、金属部材２４が容器で金属部材２５が蓋になっており、プリント板２１の全体が金属ケースの中に収納された形態になっている。つまり、類似的には、例えば、電子機器を電磁的なシールドルームへ入れてＥＭＩやＥＭＣ対策を施したものに対応する。
【０００９】
このような完全にプリント板を金属製のケースに封入しない電磁遮蔽の方法も提案されている。つまり、プリント板の実装面の裏側に突出して露出した搭載部品のはんだ付け端子部分などを遮蔽部材で覆う。そして、プリント板をサブラックに収納した際に、隣接するユニット間の電磁遮蔽を行う（例えば、特許文献２参照。）。
【００１０】
一方、情報通信の発展に伴って構築された高度なネットワーク市場においては、高機能の指標として高速、大容量化が一般的であるが、この指標を満たすために、ＰＩＵに搭載される主要な電子デバイスの伝送速度は年々増加傾向にある。特に、単位時間当たりのデータ転送速度は周波数依存性があり、電磁波の波長と密接な関係がある。つまり、伝送速度が高速になるに従って波長が短くなり、一般的な開口寸法は波長の１／２０、１／４０とされている。
【００１１】
また、定常運用時の電磁波では、クロック周波数の整数倍の高調波を考慮する必要がある。つまり、複数の機能を有するＰＩＵを一つの装置に搭載した場合には、観測したノイズの分析が複雑になり、原因究明が厄介である。
【００１２】
このように、装置レベルでの遮蔽は、ＰＩＵ単体の遮蔽というよりは、むしろ装置全体を覆い蓋をすることによって電磁遮蔽する手法が広く採られている。
【特許文献１】特開２０００−２３６１９１（シールドルーム全般の技術として）
【特許文献２】実開昭５９−１１９０９０（特許請求の範囲）
【発明の開示】
【発明が解決しようとする課題】
【００１３】
ところで、従来のように、装置全体を覆って電磁遮蔽を行う手段、つまり、ＰＩＵの場合には、プリント板を金属ケースに収納して全体を覆ってしまう電磁遮蔽の手法は遮蔽機能は優れている。
【００１４】
ところが、横幅方向の実装制約が増大する。また、ＰＩＵ単体の重量が大きくなる。さらに、保守に際しては、プリント板を金属ケースから取り出したり、試験を行ったりする作業が煩雑になる。さらに、金属ケースに収納した状態では共振点を制御することが難しい。そのために、金属ケースや蓋の形状の変更などを行うとなると、金属ケースの板金加工が必要になり、組み立て工数や原価の増大を避けることができない不具合が生ずる。
【００１５】
そこで、本発明では、プラグを介して挿脱するＰＩＵの構造そのものは変えずに、電磁波の発生源に極力近いところで電磁遮蔽が可能なＰＩＵの電磁遮蔽板構造を提供することを目的としている。
【課題を解決するための手段】
【００１６】
上で述べた課題は、請求項１において、サブラックと、プラグインユニット（ＰＩＵ）と、電磁遮蔽板とを有し、該サブラックは、前面が開口し、背面に複数の第一のコネクタと上下の内壁面に複数の案内レールとが並設されているものであり、該案内レールは、該ＰＩＵと該電磁遮蔽板とのそれぞれが滑動する溝を有し、該ＰＩＵは、電子デバイスが搭載されたプリント板からなり、後端部に第二のコネクタと前端部に前面板とが設けられているものであり、該電磁遮蔽板は、電磁波を遮蔽する板状の部材からなり、該ＰＩＵは、該サブラックの開口から該案内レールに沿って挿入されて該第一と第二のコネクタ同士が嵌合するものであり、該電磁遮蔽板は、該サブラックの開口から該案内レールに沿って挿入されて隣接する該ＰＩＵを電磁遮蔽するものであるように構成されたＰＩＵの電磁遮蔽板構造によって解決される。
【００１７】
つまり、従来の密閉型のＰＩＵの蓋に相当する部材を電磁遮蔽板として切り離すようにしている。そして、サブラックの外観形態は変わらないが、上下の内壁面に並設した複数の案内レールは、ＰＩＵを滑動する溝の外に電磁遮蔽板を滑動する溝を有するようにしている。
【００１８】
その結果、ＰＩＵをサブラックに挿入したあとで、電磁遮蔽板を隣接するＰＩＵに対応させて挿入することができ、ＰＩＵと電磁遮蔽板とを別個に取り扱えることができる。
【００１９】
次いで、請求項２において、該電磁遮蔽板は、該サブラック内の空間領域の共振点を制御可能に、または隣接する該ＰＩＵの電磁波漏洩を遮断可能に遮蔽領域が可変であるように構成された請求項１記載のＰＩＵの電磁遮蔽板構造によって解決される。
【００２０】
つまり、サブラックにＰＩＵとは別個に挿入する電磁遮蔽板によって、サブラック内の空間領域の共振点を制御できるようにしている。また、ＰＩＵとは別個に挿入する電磁遮蔽板によって、隣接するＰＩＵの電磁波漏洩を遮断できるようにしている。
【００２１】
そうすることによって、サブラック内に挿入された複数のＰＩＵから放射される多種多様な電磁波によって形成される空間領域の共振点をずらしたり、隣接する該ＰＩＵの電磁波漏洩を遮断できるように遮蔽領域を変えたりすることができる。
【００２２】
次いで、請求項３において、電磁遮蔽板は、少なくとも２枚が遮蔽領域が可変可能に摺動して固定されるように構成された請求項２記載のＰＩＵの電磁遮蔽板構造によって解決される。
【００２３】
つまり、電磁遮蔽板の大きさを、奥行き方向一杯の大きな１枚の電磁遮蔽板ではなく、少なくとも２枚の小さな電磁遮蔽板にするようにしている。そして、相互にずらして遮蔽領域を変化させて固定できるようにしている。
【００２４】
そうすると、電磁遮蔽板を多様なサブラック内の空間を適切な遮蔽領域に対応したものにすることが自在にできる。
【００２５】
次いで、請求項４において、電磁遮蔽板は、遮蔽領域が可変可能に穿孔、切欠き、または表面に凹凸を有する形状をなしているように構成された請求項２記載のＰＩＵの電磁遮蔽板構造によって解決される。
【００２６】
つまり、電磁遮蔽板はＰＩＵとは別個の構成になっているので、円形や方形の孔を穿ったり、端部を切り欠いたり、あるいは表面に円形や方形のドーム状の凸部や波形などのエンボス加工をしたり、いろいろな形状にするようにしている。
【００２７】
その結果、電磁遮蔽板の電磁波に対する反射や吸収の有効表面積を変えて、サブブラック内の多様な電磁波の漏洩空間を遮蔽する最適な遮蔽効果を有する電磁遮蔽板を構成することができる。
【発明の効果】
【００２８】
本発明になるＰＩＵの電磁遮蔽板構造によれば、ＰＩＵを構成するプリント板を金属製の箱の中に電磁的に密封して遮蔽していたのに対して、電磁遮蔽板を挿脱可能に分離した構成にした。その結果、電磁漏洩の異なったそれぞれのプリント板に最適な遮蔽効果を発揮する電磁遮蔽板を適用することができる。
【００２９】
従って、本発明は、今後ますます高速化、高機能化が進み、それに伴うＰＩＵの電磁漏洩と電磁遮蔽の多様化に対してよく対応できるので、ＰＩＵの製造、実装や保守などの効率化ができることと相まって、寄与するところ大である。
【発明を実施するための最良の形態】
【００３０】
サブラック内に収納するＰＩＵの構成を、一つの箱形容器からプリント板と電磁遮蔽板とに分離し、それぞれを独立に挿脱できるようにする。電磁遮蔽板は、対応するＰＩＵのそれぞれが発する電磁漏洩に適した形状を有するものにし、電磁遮蔽を最適な効率で行うようにする。
【実施例１】
【００３１】
請求項１に関連するもので、図１は本発明のＰＩＵの電磁遮蔽板構造の基本形を示した斜視図、図２はＰＩＵと電磁遮蔽板との位置関係の一例の切欠き斜視図である。
【００３２】
図１において、サブラック１は、いわゆる前面が開口した箱形で、例えば、薄い金属板を板金加工したものが多用されているが、プラスチックスに導電性を付与したモールド成形品などもある。バックパネルとも呼ばれる背面には複数の第一のコネクタ１２を、上下の内壁面に並べて設けた複数の案内レール１１に対応して設けている。
【００３３】
ＰＩＵ（プラグインユニット）２の主要な構成部材はプリント板２１である。プリント板２１には、模式的に示したが、ＩＣを始めとする半導体装置などの能動部品、ＣやＲ、Ｌなどの受動部品などいろいろな機能をもった電子デバイスの類が搭載されており、電磁波を外部に放射したり、外部から電磁波の影響を受ける。プリント板２１の後端部には第二のコネクタ２２を設けている。また、プリント板２１の前端部には前面板２３を取り付けている。
【００３４】
電磁遮蔽板３の基本構成は薄い板状の部材であるが、電磁波を吸収したり反射したりする素材からなる。
【００３５】
ＰＩＵ２と電磁遮蔽板３とをサブラック１に挿着するには、先ず、ＰＩＵ２をＰＩＵ用案内溝１１１に沿って挿入し、サブラック１の背面に設けた第一のコネクタ１２と、プリント板２１に設けた第二のコネクタ２２を嵌合させる。次いで、電磁遮蔽板３を電磁遮蔽板用案内溝１１２に沿って挿入する。
【００３６】
ただし、ＰＩＵ２と電磁遮蔽板３とをサブラック１に挿着する手順は、一義的に決まるものではなく、ＰＩＵ２や電磁遮蔽板３の構成によっては、図２に示したように、ＰＩＵ２と電磁遮蔽板３とをサブラック１に挿入する手順が逆になる場合も可能である。
【００３７】
図２において、サブラック１の中に収納されたＰＩＵ２と電磁遮蔽板３とは、相互に補完し合って電磁波の放出している空間に開口がないように構成にしなければならない。サブラック１の背面のバックパネルは、電磁的に遮蔽した構成になっている。しかし、サブラック１の前面側はプリント板２１と電磁遮蔽板３との間隙が作る開口を電磁的に遮蔽する必要がある。
【００３８】
従来のＰＩＵの箱形の遮蔽箱の前面に見合う位置は、前面板２３になっている。この前面板２３は上面視ほぼ匚の字形の形状をしており、一方の袖部２３２は、延伸して電磁遮蔽板３の厚み分とプリント板２１のいわゆるはんだ付け面との間隙を保つ分の２段に階段状に折り曲げ加工している。そして、一方の袖部２３２の先端がプリント板２１とねじ止めなどによって固着され、プリント板２１と前面板２３とが上面視ほゞＬ字形をなすＰＩＵ２が構成される。
【００３９】
前面板２３の他方の袖部２３３は、プリント板２１の部品搭載面の空間を構成する厚みを保つように曲げ加工している。そして、シールドフィンガとも呼ばれている接触子列２３１を前面板２３の上下の長さ方向一杯に設けている。この接触子列２３１は、例えば、ばね性をもった導通のある金属薄板を湾曲させた構成になっており、他方の袖部２３３の表面から膨出させて列設したもので、対面する相手と電磁的に弾接する。
【００４０】
そこで、ＰＩＵ２をＰＩＵ用案内溝１１１に沿って挿入し、隣接するＰＩＵ２を隣のＰＩＵ用案内溝１１１に沿って挿入すると、ＰＩＵ２の前面板２３の一方の袖部２３２の接触子列２３１と、隣り合ったＰＩＵ２の前面板２３の他方の袖部２３３の表面とが弾接して電磁的に遮蔽するようになっている。
【００４１】
一方、電磁遮蔽板３も、挿入方向の手前の端部に、上下方向一杯に接触子列３３１を設けている。この接触子列３３１は、ＰＩＵ２の前面板２３に設けた接触子列２３１と同様の構成になっている。つまり、電磁遮蔽板３が前面板２３の電磁遮蔽板３が納まる段差に位置すると、接触子列３３１が隣り合うＰＩＵ２の他方の袖部２３３の表面に弾接して電磁的に遮蔽するようになっている。
【００４２】
従って、図２に示したようにＰＩＵ２と電磁遮蔽板３の構成の場合には、電磁遮蔽板３をサブラック１の電磁遮蔽板用案内溝１１２に挿入した後で、隣接するＰＩＵ２を挿入して、電磁遮蔽板３が前面板２３の一方の袖部２３２の段差に納まるようにする。つまり、接触子列２３１が隣り合う次のＰＩＵ２の前面板２３の一方の袖部２３２の表面と弾接するように、接触子列３３１が隣り合う手前のＰＩＵ２の前面板２３の他方の袖部２３３の表面と弾接するように、ＰＩＵ用案内溝１１１と電磁遮蔽板用案内溝１１２の間隔；Ｌ１および案内レール１１の間隔（ピッチ）；Ｌ２を決めることになる。
【実施例２】
【００４３】
請求項２に関連するもので、図３は本発明の電磁遮蔽板の一例を模式的に示す斜視図、図４は本発明の電磁遮蔽板の一例を挿入したサブラックの上面図、図５〜図８は、共振点の電磁遮蔽板依存性の説明図である。
【００４４】
電磁遮蔽板３は、図示してないプリント板とで構成される隔離された空間に漏洩する電磁波を最適に遮蔽するために、サブラック１の奥行き方向に対していろいろな寸法が採られる。図３の（Ａ）は、サブラック１の背面まで全体を遮蔽する大きさのものである。図３の（Ｂ）では１／４程度を遮蔽し、図３の（Ｃ）では１／３程度を遮蔽する。
【００４５】
図４はサブラック１の上部を開いて見下ろして見たもので、サブラック１の中にはＰＩＵ２が図示してないが案内レールに沿って所定の間隔で矢印方向から挿入され、第一のコネクタ１２と第二のコネクタ２２とが文字どおりプラクインして収納されている様子を示している。
【００４６】
一方、電磁遮蔽板３は、それぞれのＰＩＵ２に対して最適な遮蔽効果を発揮できるように、サブラック１の奥行き方向でいろいろな寸法になっており、ＰＩＵ２によっては電磁遮蔽板３が挿入されていない場所もある。
【００４７】
円形で囲ったＰＩＵ２と電磁遮蔽板３の挿入口の部分は、図２に斜視図で示したように、それぞれのＰＩＵ２に取り付けられた前面板２３で塞がれた状態になっている。しかも、隣接する前面板２３の間には電磁遮蔽板３が挿入されて接触子列２３１と接触子列３３１とが電磁的に弾接して遮蔽できるようになっている。
【００４８】
実際に、このような電磁遮蔽板３の空間を塞ぐ大きさ、あるいは電磁遮蔽板３の材質によって、サブラックとかＰＩＵの内部における電界の共振点がどのように変化するかは、図５（その１）〜図８（その４）に例示する。
【００４９】
まず、５００×２００×３００（ｍｍ）の大きさのサブラックを想定し、幅方向の両側の空間に発振源を置き、いろいろな発振周波数を印加する。サブラックの中央部は、いろいろな電磁遮蔽板で遮って、サブラックの内部空間での共振点がどのように変化するかを調査した。
【００５０】
図５は共振点の電磁遮蔽板依存性の説明図（その１）である。図５（Ａ）において、サブラック１の中の二つの発振源１３の中央部に奥行き全体を電磁遮蔽板３１で遮った構成を模式的に図示した。その結果を図５（Ｂ）に示す。
【００５１】
図５（Ｂ）において、横軸は発振源の周波数（１００ＭＨｚ）であり、縦軸はそれぞれの周波数に対する電界強度：Ｅ（ｄＢμＶ／ｍ）である。電界強度曲線４は、二つの発振源１３の間に仕切りとなる電磁遮蔽板を置かない開放した空間の状態におけるサブラック１の共振点を示す。それに対して、電界強度曲線４１は、サブラック１の中央部の奥行き全体を金属製の電磁遮蔽板３１で遮った場合の共振点の変動の振る舞いを示す。電界強度曲線４に対して電界強度曲線４１では明らかに共振点が移動していることが分かる。
【００５２】
さらに、図６は共振点の電磁遮蔽板依存性の説明図（その２）である。図６（Ａ）では、サブラック１の中央部に奥行きの２／３を金属製の電磁遮蔽板３２で遮って遮蔽したもので、共振点の移動の振る舞いを図６（Ｂ）に示す。図５（Ｂ）と同様に開放した空間の電界強度曲線４に対して電界強度曲線４２に示したように共振点の移動が見られる。
【００５３】
さらに、図７は共振点の電磁遮蔽板依存性の説明図（その３）である。図７（Ａ）では、サブラック１の中央部の奥行きの１／３を金属製の電磁遮蔽板３３で遮ったもので、共振点の移動の結果を図７（Ｂ）に示す。図５（Ｂ）と同様に開放した空間の電界強度曲線４に対して電界強度曲線４３に示したように、サブラック１の中央部に奥行きの１／３を遮ると共振点の移動が見られる。
【００５４】
さらに、図８は共振点の電磁遮蔽板依存性の説明図（その４）である。図８（Ａ）においては、サブラック１の中央部の奥行き全体をガラス繊維強化エポキシ樹脂積層板製の電磁遮蔽板３４で遮ったもので、共振点の変動の振る舞いを図８（Ｂ）に示す。図５（Ｂ）と同様に開放した空間の電界強度曲線４に対して電界強度曲線４４に示したような特性を示し、明確な共振点は消滅している。
【００５５】
何れにしても、図５〜図８に示したように、電磁遮蔽板３の形状や材質によってサブラック１の中でノイズとして生じる電磁波の共振点を制御できることが分かる。
【実施例３】
【００５６】
請求項３に関連するもので、図９は本発明の電磁遮蔽板の他の例の模式斜視図（その１）である。
【００５７】
図９において、電磁遮蔽板３は少なくとも２枚からなり、サブラック１あるいはＰＩＵ２の内部の電磁波漏洩を最適に遮蔽できるように、必要に応じて図８（Ａ）のように遮蔽領域を狭くしたり、図９（Ｂ）に示したように、２枚の電磁遮蔽板３をずらして遮蔽領域を広くしたりする。それぞれの電磁遮蔽板３には孔を設けており、所定の位置でねじ止めなどして固定できるようになっている。また、電磁遮蔽板用案内溝１１２は、そのときの電磁遮蔽板３の枚数に応じた溝の幅にするが、電磁遮蔽板３の板厚は、高々０．１ｍｍ程度なので、例えば、０．５ｍｍ程度の溝幅になっていれば共用できる。
【実施例４】
【００５８】
請求項４に関連するもので、図１０と図１１は本発明の電磁遮蔽板の他の例の模式的斜視図（その２）と（その３）である。
【００５９】
図１０（Ａ）は、電磁遮蔽板３が側面視Ｈ字形の形状をしており、上側の電磁遮蔽板用案内溝１１２は図示してないが、上下の両手と両足によって電磁遮蔽板用案内溝１１２を摺動するようになっている。
【００６０】
図１０（Ｂ）は、電磁遮蔽板３が側面視工字形の形状をしている。挿脱に際しては、下側の電磁遮蔽板用案内溝１１２と図示してない上側の電磁遮蔽板用案内溝とに沿って、上辺縁と下辺縁とが摺動するようになっている。
【００６１】
図１０（Ｃ）は、電磁遮蔽板３が側面視匚字形の形状をしている。挿脱に際しては、下側の電磁遮蔽板用案内溝１１２と図示してない上側の電磁遮蔽板用案内溝とに沿って、上辺縁と下辺縁とが摺動するようになっている。
【００６２】
図１０（Ｄ）は、電磁遮蔽板３が中央部が開口した側面視囗字形の形状をしている。挿脱に際しては、下側の電磁遮蔽板用案内溝１１２と図示してない上側の電磁遮蔽板用案内溝とに沿って、上辺縁と下辺縁とが溝の中を摺動するようになっている。
【００６３】
図１１（Ｅ）は電磁遮蔽板３の表面を波打たせた形状をしており、挿脱に際しては、下側の電磁遮蔽板用案内溝１１２と図示してない上側の電磁遮蔽板用案内溝とに沿って、上辺縁と下辺縁とが溝の中を摺動するようになっている。
【００６４】
図１１（Ｆ）は電磁遮蔽板３に円形や方形の孔を穿った形状をしており、挿脱に際しては、下側の電磁遮蔽板用案内溝１１２と図示してない上側の電磁遮蔽板用案内溝とに沿って、上辺縁と下辺縁とが溝の中を摺動するようになっている。
【００６５】
このように、電磁遮蔽板の形状は、最初に形状有りきではなく、サブラックやＰＩＵ  が構成する空間の中を飛び交う電磁波の共振点を移動させたり、漏洩電磁波を遮蔽したりする目的で最適をいろいろな形状を自在に採ることができる。
【実施例５】
【００６６】
請求項５に関連するもので、図１２は本発明の電磁遮蔽板の他の例の模式的斜視図（その４）である。
【００６７】
図１２において、ＰＩＵ２と電磁遮蔽板３とのそれぞれは、図示してないＰＩＵ用案内溝と電磁遮蔽板用案内溝とのそれぞれに沿って挿入されるが、本来は対面してサブラック１の中に収納されているところを、こゝでは分かりやすくするためにＰＩＵ２と電磁遮蔽板３を開いた状態で図示している。
【００６８】
ＰＩＵ２には、いろいろなデバイスが搭載されており、電磁波をノイズとして発するデバイスと発しないデバイスとがある。あるいは、隣接するＰＩＵ２からのノイズに影響され易いデバイスと影響されにくいデバイスとがある。
【００６９】
そこで、電磁波を発したり電磁波のノイズに影響され易い類のデバイスが対面する電磁遮蔽板３の少なくとも一方の表面に、電磁波を減衰させる、例えば、フエライトの薄板や薄膜などの電磁波吸収部材を局在させた局部電磁遮蔽板３５を貼付した構成にする。この場合には、電磁遮蔽板３が、例えば、板状のプラスチックスによって構成することもできる。
【００７０】
こゝでは、形状が限られた電磁遮蔽板を例示した。しかし、電磁遮蔽板の形状に制約がないので、サブラック内あるいはＰＩＵのプリント板と電磁遮蔽板とで構成される空間で放射される電磁波の共振点をノイズとして影響のない周波数帯に移動させたり、ノイズそのものを遮蔽したりことができ、電磁遮蔽板の形状には種々の変形が可能である。
【００７１】
また、案内レールのうち、ＰＩＵ用案内溝とプリント板の接地導体を導通させ、電磁遮蔽板用案内溝と電磁遮蔽板を導通させ、案内レールをサブラックと導通させて接地電位にする。さらに、ＰＩＵの前面板と電磁遮蔽板とを接触子列を介して導通させる。しかも、電磁遮蔽板をいろいろな形状にできるので、従来の独立した箱型の密封式のＰＩＵでは得られない遮蔽効果を発揮することができる。
【００７２】
（付記１）  サブラックと、プラグインユニット（ＰＩＵ）と、電磁遮蔽板とを有し、
該サブラックは、前面が開口し、背面に複数の第一のコネクタと上下の内壁面に複数の案内レールとが並設されているものであり、
該案内レールは、該ＰＩＵと該遮蔽板とのそれぞれが滑動する溝を有し、
該ＰＩＵは、電子デバイスが搭載されたプリント板からなり、後端部に第二のコネクタと前端部に前面板とが設けられているものであり、
該電磁遮蔽板は、電磁波を遮蔽する板状の部材からなり、
該ＰＩＵは、該サブラックの開口から該案内レールに沿って挿入されて該第一と第二のコネクタ同士が嵌合するものであり、
該電磁遮蔽板は、該サブラックの開口から該案内レールに沿って挿入されて隣接する該ＰＩＵを電磁遮蔽するものである
ことを特徴とするＰＩＵの電磁遮蔽板構造。
【００７３】
（付記２）  該電磁遮蔽板は、該サブラック内の空間領域の共振点を制御可能に、または隣接する該ＰＩＵの電磁波漏洩を遮断可能に遮蔽領域が可変である
ことを特徴とする付記１記載のＰＩＵの電磁遮蔽板構造。
【００７４】
（付記３）  該電磁遮蔽板は、少なくとも２枚が遮蔽領域が可変可能に摺動して固定される
ことを特徴とする付記２記載のＰＩＵの電磁遮蔽板構造。
【００７５】
（付記４）  該電磁遮蔽板は、遮蔽領域が可変可能に穿孔、切欠き、または表面に凹凸を有する形状をなしている
ことを特徴とする付記２記載のＰＩＵの電磁遮蔽板構造。
【００７６】
（付記５）  該電磁遮蔽板は、少なくとも一方の面に隣接するＰＩＵから放射する電磁波を減衰可能に電磁波吸収部材が貼付されるいる
ことを特徴とする付記１記載のＰＩＵの電磁遮蔽板構造。
【００７７】
（付記６）  該電磁遮蔽板は、該ＰＩＵの前面板に設けられた接触子列と電気的に弾接している
ことを特徴とする付記１記載のＰＩＵの電磁遮蔽板構造。
【００７８】
（付記７）  該電磁遮蔽板は、該案内レールを介して該サブラックの接地電位に導通している
ことを特徴とする付記１記載のＰＩＵの電磁遮蔽板構造。
【産業上の利用可能性】
【００７９】
本発明によれば、従来のようなプリント板を完全に金属ケースの中に封じ込めて構成したＰＩＵに代わって、プリント板と電磁遮蔽板とを分離し、プリント板と電磁遮蔽板とを交互にサブラックの中に挿脱可能に収納したあとは、完全にそれぞれのプリント板が電磁的に遮蔽できる。しかも、電磁遮蔽板の形状を自在に変形加工できるので、最適な遮蔽効果を得ることが可能である。
【図面の簡単な説明】
【００８０】
【図１】本発明のＰＩＵの電磁遮蔽板構造の基本形を示した斜視図である。
【図２】ＰＩＵと電磁遮蔽板との位置関係の一例の切欠き斜視図である。
【図３】本発明の電磁遮蔽板の一例を模式的に示す斜視図である。
【図４】本発明の電磁遮蔽板の一例を挿入したサブラックの上面図である。
【図５】共振点の電磁遮蔽板依存性の説明図（その１）である。
【図６】共振点の電磁遮蔽板依存性の説明図（その２）である。
【図７】共振点の電磁遮蔽板依存性の説明図（その３）である。
【図８】共振点の電磁遮蔽板依存性の説明図（その４）である。
【図９】本発明の電磁遮蔽板の他の例の模式的斜視図（その１）である。
【図１０】本発明の電磁遮蔽板の他の例の模式的斜視図（その２）である。
【図１１】本発明の電磁遮蔽板の他の例の模式的斜視図（その３）である。
【図１２】本発明の電磁遮蔽板の他の例を模式的斜視図（その４）ある。
【図１３】従来のＰＩＵの電磁遮蔽の一例である。
【符号の説明】
【００８１】
１  サブラック                                                                  １１  案内レール                      
１２  第一のコネクタ        
１３  発振源
１１１  ＰＩＵ用案内溝                
１１２  電磁遮蔽板用案内溝
２  ＰＩＵ                                                                      ２１  プリント板                  
２２  第二のコネクタ
２３  前面板
２３１  接触子列                      
２３２  一方の袖部
２３３  他方の袖部
３、３１、３２、３３、３４  電磁遮蔽板
３５  局部電磁遮蔽板
３３１  接触子列
４、４１、４２、４３、４４  電界強度曲線
【図１】
2005167053.tif 000003
【図２】
2005167053.tif 000004
【図３】
2005167053.tif 000005
【図４】
2005167053.tif 000006
【図５】
2005167053.tif 000007
【図６】
2005167053.tif 000008
【図７】
2005167053.tif 000009
【図８】
2005167053.tif 000010
【図９】
2005167053.tif 000011
【図１０】
2005167053.tif 000012
【図１１】
2005167053.tif 000013
【図１２】
2005167053.tif 000014
【図１３】
2005167053.tif 000015